(57)【要約】      （修正有）【課題】複数の薄板パネルを上下方向に、効率的かつ使い勝手良く、安定して積み重ねることが可能なモジュールを提供する。【解決手段】薄板パネルを挟み込み支持する挟み込み支持部とパネルの重さを上下方向に伝達する荷重伝達部とパネルの水平方向の位置決めをする位置決め部とを有し、挟み込み支持部は、上板状体１２および下板状体１４と、上下板状体とにより略コの字断面を形成するように、上板状体の外縁と下板状体の外縁とを連結する上下方向壁１８とを有し、コの字断面の開放部からパネルを下板状体と上板状体との間に挿入挟み込み支持を行い上板状体の下面には複数の案内突起体が互いに所定の間隔を隔てるように設けられ、案内突起体の各々はその下部が上下方向壁の内面に向かうにつれて下方に突出する態様でテーパ状をなすように、上下方向壁の内面に向かって延び、下部の最下部と下板状体の上面との間隔は、挿入されるべきパネルの厚みに設定される。【選択図】図１
2012232781.tif 000002
【特許請求の範囲】
【請求項１】
薄板パネルを挟み込み支持する挟み込み支持部と、該挟み込み支持部に連結され、薄板パネルの重さを上下方向に伝達する荷重伝達部と、薄板パネルの水平方向の位置決めをする位置決め部とを有する、薄板パネルの積重ねに用いるモジュールであって、
前記挟み込み支持部は、上板状体および下板状体と、該上板状体と該下板状体とにより略コの字断面を形成するように、前記上板状体の外縁と前記下板状体の外縁とを連結する上下方向壁とを有し、コの字断面の開放部から薄板パネルを前記下板状体と前記上板状体との間に挿入して、挟み込み支持を行い、
前記上板状体の下面には、複数の案内突起体が、互いに所定の間隔を隔てるように設けられ、複数の案内突起体の各々は、その下部が前記上下方向壁の内面に向かうにつれて下方に突出する態様でテーパ状をなすように、前記上下方向壁の内面に向かって延び、該下部の最下部と前記下板状体の上面との間隔は、挿入されるべき薄板パネルの厚みに設定される、ことを特徴とする薄板パネルの積重ねに用いるモジュール。
【請求項２】
前記複数の案内突起体の各々は、その鉛直断面が下方に向かって先細のテーパ状をなす、請求項１に記載の薄板パネルの積重ねに用いるモジュール。
【請求項３】
前記鉛直断面は、V字状あるいはU字状である、請求項２に記載の薄板パネルの積重ねに用いるモジュール。
【請求項４】
前記下板状体の内縁は、前記上板状体の内縁より内方へ張り出している、請求項１に記載の薄板パネルの積重ねに用いるモジュール。
【請求項５】
前記複数の案内突起体は、互いに平行に、L字形状の線対称中心軸線に沿って配置される請求項１に記載の薄板パネルの積重ねに用いるモジュール。
【請求項６】
前記複数の案内突起体の各々は、その水平幅が前記上下方向壁の内面に向かうにつれて幅広となる態様でテーパ状をなす、請求項１に記載の薄板パネルの積重ねに用いるモジュール。
【請求項７】
前記複数の案内突起体の各々は、前記上板状体の前記内縁近傍から前記上下方向壁の内面まで延びる請求項１に記載の薄板パネルの積重ねに用いるモジュール。
【請求項８】
前記モジュールは、一体成形の樹脂製である、請求項１に記載の薄板パネルの積重ねに用いるモジュール。
【発明の詳細な説明】
【技術分野】
【０００１】
本発明は、薄板パネルの積重ねに用いるモジュールに関し、より詳細には、複数の薄板パネルを上下方向に、効率的かつ使い勝手良く、安定して積み重ねることが可能な薄板パネルの積重ねに用いるモジュールに関する。
【背景技術】
【０００２】
従来から、こわれやすく重い薄板パネル、たとえば太陽光パネルを上下方向に非接触式に積み重ねた形態で、保管したり搬送するのに、そのためのモジュールが用いられてきた。
特許文献１および特許文献２は、その一例を開示する。
このモジュールは、薄板パネルを下方から支持するための支持面と、該支持面から外方に延びる形態で該支持面と連結され、薄板パネルの重さを上下方向に伝達する成形品部材とを有し、この成形品部材の上下部にそれぞれ、互いに嵌り合い可能な凹部あるいは凸部を有する。  
【０００３】
このようなモジュールによれば、薄板パネルの四隅それぞれにモジュールをあてがい、薄板パネルをそれぞれの支持面に載置し、次いで、各隅において、新たなモジュールの成形品部材の下部の凹部をすでに配置されたモジュールの成形品部材の上部の凸部に嵌め込み、同様に次の薄板パネルを４つのモジュールにより支持することにより、薄板パネルを非接触の形態で上下方向に積み重ねることが可能であり、たとえば、パレット上で積み重ねることにより、パレットごと搬送することが可能である。
しかしながら、このようなモジュールには、以下のような技術的問題点が存する。
【０００４】
第１に、薄板パネルの積み重ねの効率が悪い点である。
より詳細には、特許文献１によれば、薄板パネルの周縁に嵌め込んだ外枠を介して、薄板パネルをモジュールにより保持していたため、薄板パネルを直接モジュールにより保持する場合に比べ、外枠の厚み分、高さが限られたスペース内に薄板パネルを上下方向に積み重ねるのに、積み重ね可能な薄板パネルの枚数が制限される点である。
この点、従来のモジュールを用いて、薄板パネルを外枠なしにモジュールにより直接保持するとすれば、薄板パネルは支持面に単に載置されるに過ぎないため、薄板パネルがモジュールによりしっかりと保持されず、たとえばパレットによる搬送中に、振動により薄板パネルが傷ついたり、場合により破損しかねない。
【０００５】
第２に、薄板パネルをモジュールに差し込む際の使い勝手の悪さである。
より詳細には、特許文献２によれば、薄板パネルを挟み込み支持するモジュールが提案されており、この薄板パネルの積重ねに用いるモジュールは、薄板パネルを挟み込み支持する挟み込み支持部と、該挟み込み支持部に連結され、薄板パネルの重さを上下方向に伝達する荷重伝達部と、薄板パネルの水平方向の位置決めをする位置決め部とを有する。
このようなモジュールによれば、薄板パネルを支持面に単に載置する場合に比べ、薄板パネルをモジュールによりしっかりと保持することが可能である。
しかしながら、このようなモジュールの場合、薄板パネルの隅部をコの字断面の保持部に対して、開放部から差し込んで、モジュールにより保持するところ、パレット上の現場で、重量物の薄板パネルの上下方向の位置合わせをしつつ、開放部から差し込むのは、熟練を要する作業である。
【特許文献１】特開２００６−３２９７８号公報
【特許文献２】独国特許出願公開  ３７０１２９３号公報
【発明の開示】
【発明が解決しようとする課題】
【０００６】
そこで、上記技術的問題点にかんがみ、本発明の目的は、複数の薄板パネルを上下方向に、効率的かつ使い勝手良く、安定して積み重ねることが可能な薄板パネルの積重ねに用いるモジュールを提供することにある。
【課題を解決するための手段】
【０００７】
上記課題を解決するために、本発明に係る薄板パネルの積重ねに用いるモジュールは、
薄板パネルを挟み込み支持する挟み込み支持部と、該挟み込み支持部に連結され、薄板パネルの重さを上下方向に伝達する荷重伝達部と、薄板パネルの水平方向の位置決めをする位置決め部とを有する、薄板パネルの積重ねに用いるモジュールであって、
前記挟み込み支持部は、上板状体および下板状体と、該上板状体と該下板状体とにより略コの字断面を形成するように、前記上板状体の外縁と前記下板状体の外縁とを連結する上下方向壁とを有し、コの字断面の開放部から薄板パネルを前記下板状体と前記上板状体との間に挿入して、挟み込み支持を行い、
前記上板状体の下面には、複数の案内突起体が、互いに所定の間隔を隔てるように設けられ、複数の案内突起体の各々は、その下部が前記上下方向壁の内面に向かうにつれて下方に突出する態様でテーパ状をなすように、前記上下方向壁の内面に向かって延び、該下部の最下部と前記下板状体の上面との間隔は、挿入されるべき薄板パネルの厚みに設定される、構成としている。
【０００８】
以上の構成を有する薄板パネルの積重ねに用いるモジュールによれば、挟み込み支持部のコの字断面の開放部から薄板パネルの隅部を下板状体と上板状体との間に直接挿入して、挟み込み支持を行う際、薄板パネルの隅部の上面を上板状体の下面に設けた複数の案内突起体の開放部側、すなわち上板状体の内縁に近い最下部に当てながら上下方向壁の内面に向かって薄板パネルを挿入する。それにより、複数の案内突起体それぞれの下部は、上下方向壁の内面に向かうにつれて下方に突出する態様でテーパ状をなし、その最下部の先細部と下板状体の上面との間隔が、挿入されるべき薄板パネルの厚みに設定されることから、薄板パネルの隅部の下面と下板状体の内縁との間にクリアランスを確保した状態で、薄板パネルの上下方向の位置合わせを容易に行うことが可能である。
次いで、薄板パネルの隅部の上面を複数の案内突起体それぞれの最下部の先細部に当てながら、薄板パネルを上下方向壁の内面に向かって薄板パネルを挿入することにより、複数の案内突起体それぞれは、上下方向壁の内面に向かって延びることから、複数の案内突起体は、薄板パネルの上下方向壁の内面に向かって円滑な案内機能を奏する。
次いで、薄板パネルの隅部の互いに直交する側面部がそれぞれ対応する上下方向壁の内面部に当たるまで、薄板パネルを挿入することにより、複数の案内突起体それぞれの最下部の先細部と下板状体の上面との間隔が、挿入されるべき薄板パネルの厚みに設定されることから、薄板パネルをしっかりと安定的に挟み込む支持することが可能である。
【０００９】
モジュールにより挟み込み支持された下の薄板パネルに対して、モジュールにより挟み込み支持された上の薄板パネルを積み重ねることで、薄板パネルの各隅において柱状に積み重ねられるモジュールの荷重伝達部を介して薄板パネルの重さが伝達されるとともに、モジュールの位置決め部を介して、上のモジュールを下のモジュールに対して水平方向に位置決めすることが可能であり、従来のように、薄板パネルの周縁部に挟み込まれる外枠を介して薄板パネルをモジュールにより支持していた場合に比べ、外枠なしに薄板パネルをモジュールにより直接支持することにより、外枠の厚み分が不要となることで、高さが制限されたスペース内により多数枚の薄板パネルを積み重ねることが可能であり、総じて、複数の薄板パネルを上下方向に、効率的かつ使い勝手良く、安定して積み重ねることが可能である。
また、前記複数の案内突起体の各々は、その鉛直断面が下方に向かって先細のテーパ状をなすのがよい。
さらに、前記鉛直断面は、V字状あるいはU字状であるのがよい。
さらにまた、前記下板状体の内縁は、前記上板状体の内縁より内方へ張り出しているのがよい。
加えて、前記複数の案内突起体は、互いに平行に、L字形状の線対称中心軸線に沿って配置されるのがよい。
【００１０】
さらに、前記複数の案内突起体の各々は、その水平幅が前記上下方向壁の内面に向かうにつれて幅広となる態様でテーパ状をなすのがよい。
さらにまた、前記複数の案内突起体の各々は、前記上板状体の前記内縁近傍から前記上下方向壁の内面まで延びるのがよい。
加えて、前記モジュールは、一体成形の樹脂製であるのがよい。
【発明を実施するための最良の形態】
【００１１】
本発明に係るモジュールの実施形態を、積み重ねる薄板パネルとして矩形形状の太陽光パネルPを例に、図面を参照しながら以下に詳細に説明する。
太陽光パネルPは、セルを直列接続し、樹脂や強化ガラス、金属枠で保護した薄板状をなし、より具体的には、ガラス層とプラスチック層、あるいはガラス層とガラス層との間にシリコンからなるセルが埋め込まれた積層構造であり、厚みが数ミリ、面積が数平方メートル、重量が１０ないし３０Kgに及ぶことから、精密でこわれやすい構造体である。
本実施形態においては、太陽光パネルPの四隅それぞれを薄板パネルの積重ねに用いるモジュール１０により直接支持する場合を説明する。
【００１２】
モジュール１０は、太陽光パネルPを挟み込み支持する挟み込み支持部と、挟み込み支持部に連結され、太陽光パネルPの重さを上下方向に伝達する荷重伝達部と、太陽光パネルPの水平方向の位置決めをする位置決め部とを有する。
図１ないし図４に示すように、モジュール１０は、中心線Ｘ−Ｘ（図３参照）に関して線対称の形状を有し、挟み込み支持部は、互いに平行に上下方向に間隔を隔てて連結された、上板状体１２と下板状体１４とからなる一対の板状体１６と、上板状体１２と下板状体１４とを連結する上下方向壁１８とを有し、荷重伝達部は、上下方向壁１８の外表面２０に付設されたボックス構造２２を有し、モジュール１０は、樹脂製であり、これらが一体成形され、後に詳細に説明するように、太陽光パネルPの四隅それぞれにモジュール１０をあてがい、太陽光パネルPを挟み込み支持したうえで、それぞれのモジュール１０に次のモジュール１０を載置して、次の太陽光パネルPを支持し、これを繰り返すことにより、太陽光パネルPを上下方向に積み重ねるようにしている。
【００１３】
この意味において、太陽光パネルPの重さは、各隅において、柱状に積み重ねられるモジュール１０を通じて伝達され、最下段のモジュール１０には、積み重ねた枚数分の太陽光パネルPの重さが負荷される。
モジュール１０の樹脂材料は、熱可塑性樹脂であり、ポリエチレン、ポリプロピレン等のオレフィン系樹脂、または非晶性樹脂などで、より具体的にはエチレン、プロピレン、ブテン、イソプレンペンテン、メチルペンテン等のオレフィン類の単独重合体あるいは共重合体であるポリオレフィン（例えば、ポリプロピレン、高密度ポリエチレン）であり、モジュール１０の構造が比較的複雑であることから、特に射出成形による一体成形に適している。
【００１４】
一対の板状体１６を構成する上板状体１２および下板状体１４はそれぞれ、Ｌ字形状を有し、上板状体１２と下板状体１４とにより、特に図１に明瞭に示すように、略コの字断面を形成するように、上板状体１２の外縁３１と下板状体１４の外縁３３とを連結するように上下方向壁１８が設けられる。
これにより、一対の板状体１６が太陽光パネルＰを挟み込み支持する挟み込み支持部を構成し、コの字断面の開放部から太陽光パネルＰを上板状体１２と下板状体１４との間に挿入して、挟み込み支持するようにしている。
よって、上板状体１２の下面と下板状体１４の上面との間の間隔、および上板状体１２および下板状体１４それぞれの面積は、太陽光パネルＰを挟み込み支持可能なように決定すればよい。このように、モジュール１０により太陽光パネルＰを挟み込み支持することにより、モジュール１０が太陽光パネルＰに固定され、後に説明するように、太陽光パネルＰの四隅にモジュール１０をあてがった状態で、太陽光パネルＰを移動することが可能である。下板状体１４の内縁は、上板状体１２の内縁より内方へ張り出している（図７のD）。
【００１５】
図１および図２に示すように、上板状体１２および下板状体１４それぞれには、補強リブ４１、４３が設けられ、特に太陽光パネルＰを挟み込み支持する際、下板状体１４には
太陽光パネルＰの重さが負荷されることから、下板状体１４を下方から支持するようにしている。
より詳細には、図１に示すように、上板状体１２の上側には、上下方向壁１８の外表面２０と上板状体１２とを跨ぐ形態で連結する複数の補強リブ４１が適宜の間隔を隔てて設けられ、一方図２に示すように、下板状体１４の上側および下側それぞれに、上下方向壁１８の外表面２０と下板状体１４とを跨ぐ形態で連結する複数の補強リブ４３が適宜の間隔を隔てて設けられる。補強リブ４１、４３の設置数および間隔は、積み重ね対象の太陽光パネルＰの重さに応じて定めればよい。
また、図６および図７に示すように、上板状体１２の下面には、複数の案内突起体１００AないしFが、互いに所定の間隔を隔てるように設けられる。所定の間隔は、後に説明するように、モジュール１０のコの字断面の開放部から太陽光パネルPを下板状板１４と上板状板１２との間に挿入する際の便宜性の観点から決定すればよい。複数の案内突起体１００の各々は、その下部１０２が上下方向壁１８の内面に向かうにつれて下方に突出する態様でテーパ状をなすように、上板状体１２の内縁近傍から上下方向壁１８の内面まで延び、下部１０２の最下部と下板状体１４の上面との間隔は、挿入されるべき太陽光パネルＰの厚みに設定される。複数の案内突起体１００の各々は、その鉛直断面が下方に向かって先細のテーパ状をなす。より具体的には、鉛直断面は、V字状あるいはU字状であるのが好ましい。
【００１６】
図６に示すように、複数の案内突起体１００は、互いに平行に、L字形状の線対称中心軸線X-Xに沿って配置される。これにより、モジュール１０を射出成形により一体成形する際、型抜きが容易に行えるようにしている。複数の案内突起体１００の各々は、その水平幅が上下方向壁１８の内面に向かうにつれて幅広となる態様でテーパ状をなす。
なお、上板状体１２および下板状体１４それぞれをＬ字形でなく、矩形状とし、太陽光パネルＰの四隅でなく、太陽光パネルＰの各辺の中間部にあてがってもよく、場合により、Ｌ字形のモジュール１０を用いて太陽光パネルＰの四隅にあてがったうえで、矩形状のモジュール１０を用いて各辺の中間部にあてがってもよく、さらに四隅の一部と、各辺の中間部の一部とを併用してもよい。
【００１７】
図２に示すように、上下方向壁１８の外表面２０には、内部にリブ３６を有する断面Ｌ字形のボックス構造２２が設けられ、上下方向壁１８の外表面２０から外方に形成された荷重伝達面を備えた荷重伝達部を構成する。
より詳細には、ボックス構造２２の上面３７および下面３９は、互いに平行であり、太陽光パネルＰを積み重ねる際、上面３７は、上のモジュール１０からの荷重受け面７４を形成する一方、下面３９は、下のモジュール１０への荷重解放面７２を形成する。
なお、図１に示すように、上面３７には、蓋をし、図２に示すように、下面３９は開放している。
位置決め部は、モジュール１０の下部に下方に突出する突出部７０を有し、上方のモジュール１０の荷重解放面７２を下方のモジュール１０の荷重受け面７４に載置する形態で上方のモジュール１０を下方のモジュール１０に積み重ねる際、上方のモジュール１０の突出部７０の外側面を下方のモジュール１０の上部の内側面に対して内方から当接させる。
【００１８】
より詳細には、突出部７０は、荷重受け面７４に形成された第１段差部７８を有し、さらに、荷重解放面７２に形成され、第１段差部７８と相補形状の第2段差部８0を有する。
図１に示すように、第１段差部７８は、挟み込み支持部に対して近位側に設けられた下部水平面８２と、挟み込み支持部に対して遠位側に設けられた上部水平面８４と、下部水平面８２と上部水平面８４との間に介在し、上下方向壁の外表面から外方に上向きの第１傾斜面８６とを有する。
図２に示すように、一方、第2段差部８0は、挟み込み支持部に対して近位側に設けられた下部水平面８８と、挟み込み支持部に対して遠位側に設けられた上部水平面９０と、下部水平面８８と上部水平面９０との間に介在し、上下方向壁の外表面から外方に上向きの第２傾斜面９２とを有する。
これにより、積み重ねた状態の上下に隣接するモジュール１０間において、下のモジュール１０の第１段差部７８の下部水平面８２、第１傾斜面８６および上部水平面８４が、上のモジュール１０の第2段差部８0の下部水平面８８、第２傾斜面９２および上部水平面９０に、それぞれ当接するようにして、ボックス構造２２の上面３７全体が荷重受け面を構成する一方、ボックス構造２２の下面３９全体が荷重解放面を構成するようにしている。
なお、ボックス構造２２の上面３７に対して、上板状体１２は下方に位置し、上板状体１２の上面自体は、荷重受け面を構成せず、一方ボックス構造２２の下面３９に対して、下板状体１２は上方に位置し、下板状体１２の下面自体は、荷重解放面を構成するようにしていない。
【００１９】
荷重受け面７４において、上部水平面８４、第１傾斜面８６および下部水平面８２はそれぞれ、ボックス構造の一方の端面９４から他方の端面９５まで及び、荷重解放面７２において、同様に、上部水平面９０、第２傾斜面９２および下部水平面８８はそれぞれ、ボックス構造の一方の端面９４から他方の端面９５まで及ぶ。ボックス構造２２の端面９４、端面９５は、上下方向壁１８の側縁に対して面一となるように配置される。
以上の構成により、図５に示すように、上方のモジュール１０の荷重解放面を下方のモジュール１０の荷重受け面に載置する形態で上方のモジュール１０を下方のモジュール１０に積み重ねる際、上方のモジュール１０の第２傾斜面９２が、下方のモジュール１０の第１傾斜面８６に内方から当接することにより、上方のモジュール１０の下方のモジュール１０に対する外方への水平移動が規制されるとともに、太陽光パネルＰの四隅それぞれにモジュール１０が配置されていることから、太陽光パネルＰを通じて上方のモジュール１０の内側への抜け、すなわち上方のモジュール１０の下方のモジュール１０に対する内方への水平移動も規制されるようにしている。
【００２０】
特に、上板状体１２および下板状体１４がいずれも、上述のように、Ｌ字形に形成されることから、それに対応して、水平面上の直交する２方向の規制が可能であり、より具体的には、上のモジュール１０の下のモジュール１０に対する直交する２方向の内方への規制がなされ、一方上のモジュール１０の下のモジュール１０に対する直交する２方向の外方への規制がなされる。
リブ３６は、複数枚設けられ、それぞれボックス構造２２の端面９４、９５と平行に上下方向に延びるように設けられる。
ボックス構造２２自体は、荷重伝達部を構成し、強度が要求されることから、上下面３７、３９の面積、およびボックス構造２２内のリブ３６の厚み、枚数等は、このような観点から定めればよい。
【００２１】
変形例として、ボックス構造２２の上面３７の下部水平面８２を上板状体１２の上面と面一となるように設け、それにより上板状体１２の上面も荷重受け面７４を構成するとともに、ボックス構造２２の下面３９の下部水平面８８を下板状体１４の下面と面一となるように設け、それにより下板状体１４の下面も荷重解放面７２を構成するようにしてもよい。
なお、太陽光パネルＰのコの字断面の開放部からの挿入を円滑にするために、下板状体１４の上面の内縁の両端部近傍に、ボックス構造２２に向かって下方に傾斜するスロープ（図示せず）を設けてもよい。
後に説明するように、このようなモジュール１０を利用して、複数の太陽光パネルＰを上下方向に積み重ねる際、各太陽光パネルＰの四隅それぞれをモジュール１０により、予め併行して挟み込み支持しておき、四隅それぞれにモジュール１０をあてがった各太陽光パネルＰを用いて、たとえばパレットの上面において積み重ねることが容易となるように、第１傾斜面８６の傾斜角度（図１においてα）は、６０度ないし７５度であるのが好ましい。６０度より小さいと、積み重ねは容易となるが、上のモジュール１０の下のモジュール１０に対する水平方向の位置決め機能が低下となり、７５度より大きいと、水平方向の位置決め機能は向上するが、その分積み重ねが困難となる。
【００２２】
以上の構成を有するモジュール１０の作用について、モジュール１０を用いて太陽光パネルPを上下方向に積み重ねる方法の説明を通じて、以下に説明する。
複数の太陽光パネルPを上下方向に積み重ねて、フォークリフトにより搬送するために、パレットの上面に太陽光パネルPを上下方向に積み重ねる場合を例に説明する。
まず、積み重ね予定の複数の太陽光パネルPに対して、それぞれの四隅の各々に、モジュール１０を併行してあてがう。より詳細には、モジュール１０のコの字断面の開放部から太陽光パネルPを下板状板１４と上板状板１２との間に挿入して、太陽光パネルPを挟み込んで、モジュール１０を太陽光パネルPに固定する。
より具体的には、太陽光パネルPの隅部の上面を上板状体１２の下面に設けた複数の案内突起体１００の開放部側、すなわち上板状体１２の内縁に近い最下部の先細部に当てながら上下方向壁１８の内面に向かって太陽光パネルPを挿入する。それにより、複数の案内突起体１００それぞれの下部１０２は、上下方向壁１８の内面に向かうにつれて下方に突出するようにテーパ状をなし、その最下部１０２の先細部と下板状体１４の上面との間隔が、挿入されるべき太陽光パネルPの厚みに設定されることから、太陽光パネルPの隅部の下面と下板状体１４の内縁との間にクリアランスを確保した状態で、太陽光パネルPの上下方向の位置合わせを容易に行うことが可能である。
【００２３】
次いで、太陽光パネルPの隅部の上面を複数の案内突起体１００それぞれの最下部１０２の先細部に当てながら、太陽光パネルPを上下方向壁１８の内面に向かって太陽光パネルPを挿入することにより、複数の案内突起体１００それぞれは、上下方向壁１８の内面に向かって延び、その鉛直断面が下方に向かって先細のテーパ状をなすことから、最下部の先細部が太陽光パネルPの隅部の上面に略線接触形態で係合するので、複数の案内突起体１００は、太陽光パネルPの上下方向壁の内面に向かって円滑な案内機能を奏する。
次いで、太陽光パネルPの隅部の互いに直交する側面部がそれぞれ対応する上下方向壁１８の内面部に当たるまで、太陽光パネルPを挿入することにより、複数の案内突起体１００それぞれの最下部１０２の先細部と下板状体１４の上面との間隔が、挿入されるべき太陽光パネルPの厚みに設定されることから、太陽光パネルPをしっかりと安定的に挟み込む支持することが可能である。
【００２４】
このような工程を各太陽光パネルPに対して併行して行い、モジュール１０を四隅にあてがった状態の太陽光パネルPを準備しておくことにより、パレットの上面において、太陽光パネルPの四隅にモジュール１０をあてがう工程を省略することにより、効率的な太陽光パネルPの積み重ねが可能である。
次いで、四隅に対してモジュール１０をあてがった複数の太陽光パネルPについて、各隅において、モジュール１０を柱状に積み重ねる形態で、複数の太陽光パネルPを順次積み重ねる。より詳細には、各隅において、次のモジュール１０の第１段差部７８を最上部のモジュール１０の第２段差部８０に内方から当接させる形態で、パレットの上面に載置した最上部のモジュール１０のボックス構造２２の上面３７に、次のモジュール１０のボックス構造２２の下面３９を載置することにより、次のモジュール１０の下部水平面８２、第１傾斜面８６および上部水平面８４がそれぞれ、最上部のモジュール１０の下部水平面８８、第２傾斜面９２および上部水平面９０に当接し、次のモジュール１０のボックス構造２２の下面３９から最上部のモジュール１０のボックス構造２２の上面３７に対して荷重が伝達される態様で、各隅部においてモジュール１０を積み重ねる。
【００２５】
このとき、太陽光パネルPを最上部の太陽光パネルPに積み重ねる際、太陽光パネルPの四隅それぞれにあてがった４つのモジュール１０を対応する最上部のモジュール１０に対して同時に位置決めすることになるが、傾斜面の角度を適宜に設定することにより、このような作業を容易に行うことが可能である。
以上の作業を繰り返すことにより、図８に示すように、複数の太陽光パネルPの四隅それぞれにおいて、複数のモジュール１０が柱状に積み重ねられることにより、複数の太陽光パネルPを上下方向に積み重ねることが可能である。このとき、上下方向に隣接するモジュール１０間において、上方のモジュール１０の第１段差部７８が下方のモジュール１０の第２段差部８０に内方から当接することにより、上方のモジュール１０の下方のモジュール１０に対する外方への水平移動が抑制され、特に第１段差部７８および第２段差部８０がＬ字形であることから、互いに直交する方向への水平移動が抑制されるとともに、上方のモジュール１０の下方のモジュール１０に対する内側への抜けは、各太陽光パネルPの四隅それぞれにモジュール１０があてがわれ、柱状に積み重ねられていることから有効に防止され、内方への水平移動も抑制され、上のモジュール１０を下のモジュール１０に対して水平方向に位置決めし、以て太陽光パネルPを効率的かつ安定的に上下方向に積み重ねることが可能である。
【００２６】
次いで、たとえばフォークリフトにより、複数の太陽光パネルPが上下方向に積み重ねられた状態で最下段のパレットごと搬送し、積み重ねた状態で太陽光パネルPを所定の場所に保管することが可能である。
なお、保管場所で、積み重ねた太陽光パネルPを荷解きする場合には、積み重ねる場合と逆の手順で行うことにより、効率的に荷解きが可能である。より詳細には、四隅にモジュール１０があてがわれた状態で、太陽光パネルPをパレットから荷解きし、別の場所で、複数の太陽光パネルPからモジュール１０を併行して、取り外せばよい。
【００２７】
以上の構成を有する薄板パネルの積重ねに用いるモジュール１０によれば、挟み込み支持部のコの字断面の開放部から薄板パネルの隅部を下板状体１４と上板状体１２との間に直接挿入して、挟み込み支持を行う際、薄板パネルの隅部の上面を上板状体１２の下面に設けた複数の案内突起体１００の開放部側、すなわち上板状体１２の内縁に近い最下部の先細部に当てながら上下方向壁１８の内面に向かって薄板パネルを挿入する。それにより、複数の案内突起体１００それぞれの下部１０２は、上下方向壁１８の内面に向かうにつれて下方に突出するようにテーパ状をなし、その最下部１０２の先細部と下板状体１４の上面との間隔が、挿入されるべき薄板パネルの厚みに設定されることから、薄板パネルの隅部の下面と下板状体１４の内縁との間にクリアランスを確保した状態で、薄板パネルの上下方向の位置合わせを容易に行うことが可能である。
【００２８】
次いで、薄板パネルの隅部の上面を複数の案内突起体１００それぞれの最下部１０２の先細部に当てながら、薄板パネルを上下方向壁１８の内面に向かって薄板パネルを挿入することにより、複数の案内突起体１００それぞれは、上下方向壁１８の内面に向かって延び、その鉛直断面が下方に向かって先細のテーパ状をなすことから、最下部の先細部が薄板パネルの隅部の上面に略線接触形態で係合するので、複数の案内突起体１００は、薄板パネルの上下方向壁１８の内面に向かって円滑な案内機能を奏する。
次いで、薄板パネルの隅部の互いに直交する側面部がそれぞれ対応する上下方向壁１８の内面部に当たるまで、薄板パネルを挿入することにより、複数の案内突起体１００それぞれの最下部１０２の先細部と下板状体１４の上面との間隔が、挿入されるべき薄板パネルの厚みに設定されることから、薄板パネルをしっかりと安定的に挟み込む支持することが可能である。
【００２９】
モジュール１０により挟み込み支持された下の薄板パネルに対して、モジュール１０により挟み込み支持された上の薄板パネルを積み重ねることで、薄板パネルの各隅において柱状に積み重ねられるモジュール１０の荷重伝達部を介して薄板パネルの重さが伝達されるとともに、モジュール１０の位置決め部を介して、上のモジュール１０を下のモジュール１０に対して水平方向に位置決めすることが可能であり、従来のように、薄板パネルの周縁部に挟み込まれる外枠を介して薄板パネルをモジュール１０により支持していた場合に比べ、外枠なしに薄板パネルをモジュール１０により直接支持することにより、外枠の厚み分が不要となることで、高さが制限されたスペース内により多数枚の薄板パネルを積み重ねることが可能であり、総じて、複数の薄板パネルを上下方向に、効率的かつ使い勝手良く、安定して積み重ねることが可能である。
【００３０】
以上、本発明の実施形態を詳細に説明したが、本発明の範囲から逸脱しない範囲内において、当業者であれば、種々の修正あるいは変更が可能である。
たとえば、本実施形態においては、太陽光パネルPをモジュール１０により支持するのに、太陽光パネルPを直接挟み込み支持したが、それに限定されることなく、太陽光パネルPの外周縁を金属枠体Fに嵌め込み、この金属枠体Fの四隅それぞれをモジュール１０により間接的に挟み込み支持してもよい。
さらに、本実施形態においては、複数の太陽光パネルPを上下方向に積み重ねるのに、同じモジュール１０を用いて、複数の太陽光パネルPの四隅それぞれにおいて柱状に積み重ねたが、それに限定されることなく、下層のモジュール１０ほど支持する太陽光パネルPの枚数が多いことから、その分強度が要求されるので、外形は同一だが肉厚の異なるモジュール１０を準備し、下層のモジュール１０ほど肉厚の厚いモジュール１０を採用してもよい。
【図面の簡単な説明】
【００３１】
【図１】本発明の実施形態に係る太陽光パネルPの積み重ねに用いるモジュール１０の斜め上方からの全体斜視図である。
【図２】本発明の実施形態に係る太陽光パネルPの積み重ねに用いるモジュール１０の斜め下方からの全体斜視図である。
【図３】本発明の実施形態に係る太陽光パネルPの積み重ねに用いるモジュール１０の平面図である。
【図４】本発明の実施形態に係る太陽光パネルPの積み重ねに用いるモジュール１０の底面図である。
【図５】本発明の実施形態に係る太陽光パネルPの積み重ねに用いるモジュール１０を積み重ねた状態を示す部分概略図である。
【図６】本発明の実施形態に係る太陽光パネルPの積み重ねに用いるモジュール１０の上板状体を下方から見た概略図である。
【図７】図６の線A-Aに沿う部分断面図である。
【図８】本発明の実施形態に係る太陽光パネルPの積み重ねに用いるモジュール１０を用いて、太陽光パネルPをパレットの上に積み重ね終わった状態を示す全体斜視図である。
【符号の説明】
【００３２】
P  太陽光パネル
PC パレット
α  傾斜角度
１０  モジュール１０
１２  上板状体
１４  下板状体
１６  板状体
１８  上下方向壁
２０  外表面
２２  ボックス構造
２６  上面
２８  下面
３６  リブ
３７  上面
３９  下面
４１  補強リブ
４３  補強リブ
４５  内縁
４９  下縁
７０  突出部
７８  第１段差部
８０  第２段差部
８２  下部水平面
８４  上部水平面
８６  第１傾斜面
８７  内縁
８８  下部水平面
９０  上部水平面
９２  第２傾斜面
９４  端面
９５  端面
９６  荷重受け水平面
９７  内へり
９８  荷重解放水平面
１００  案内突起体
１０２  下部
【図１】
2012232781.tif 000003
【図２】
2012232781.tif 000004
【図３】
2012232781.tif 000005
【図４】
2012232781.tif 000006
【図５】
2012232781.tif 000007
【図６】
2012232781.tif 000008
【図７】
2012232781.tif 000009
【図８】
2012232781.tif 000010